(57)【要約】【課題】  ドアクローザの閉扉力を利用して扉口を照明する。【解決手段】  ドアクローザのシリンダを上下方向に貫通して上方又は下方に突出するピニオン軸６の端部の内、リンク機構に連結されない一方の端部を包囲する外ケース５をドアクローザ１に装着し、この外ケース５内に、ピニオン軸の一方の端部に同軸に装着された駆動歯車７を含む増速機８と、この増速機８の最終段の歯車９に同軸に結合されたローターを含む発電機１２と、減速機内に設けられた一方向クラッチ１３と、上記外ケースの室内側の外壁の開口を覆うように装着された光拡散板１６と、この光拡散板の内面側に装着された発光素子１７とを設け、上記一方向クラッチ１３の作動方向を、閉扉時クラッチを繋ぐように設定する。【選択図】  図２
2009054402.tif 000002
【特許請求の範囲】
【請求項１】
作動油の粘性抵抗を利用して扉の閉扉時の衝撃を緩衝するドアクローザと、ドアクローザのシリンダを上下方向に貫通して上方又は下方に突出するピニオン軸の端部の内、リンク機構に連結されない一方の端部を包囲するようにしてドアクローザに装着された外ケースと、この外ケース内に収納され、ピニオン軸の一方の端部に同軸に装着された駆動歯車を含む増速機と、この増速機の最終段の歯車に同軸に結合されたローターを含む発電機と、増速機内に設けられた一方向クラッチと、発光素子とを備え、上記一方向クラッチの作動方向を、閉扉時クラッチを繋ぐようにすると共に、発電機から電力を供給された発光素子により扉口を照射するようにしたことを特徴とする扉口の照明装置。
【請求項２】
上記発光素子を、外ケースの室内側に向かう外壁の開口部に装着したことを特徴とする請求項１に記載の扉口の照明装置。
【請求項３】
上記発光素子を、外ケースの室内側に向かう外壁の開口に光拡散板を介して装着したことを特徴とする請求項１又は請求項２に記載の扉口の照明装置。
【請求項４】
上記発光素子を扉口の内壁面に装着し、この発光素子と上記発電機とを電線で接続するようにしたことを特徴とする請求項１に記載の扉口の照明装置。
【発明の詳細な説明】
【技術分野】
【０００１】
この発明は、新規な扉口の照明装置（以下単に照明装置という）に係り、特に、ドアクローザに連結された発電機を電源とする照明装置に関する。
【背景技術】
【０００２】
夜家人が帰宅して入室するとき、或いはホテルで宿泊客が夜入室するとき、扉口が暗いので電源スイッチの在りかが判らずまごまごしたり、又は、扉口に靴脱ぎ場がある場合には、段に蹴躓く危険がある。
【０００３】
しかしながら、上記照明装置は、夜間、それも外出から戻った家人が扉を開けて室内に入るときにのみ、或いは夜ホテルの宿泊客が入室するときにのみ、かつ一時的に必要なのである。
【０００４】
そこで、本出願人は、先に、後記特許文献１を以て、ドアクローザに連結された発電装置を提案した。
【特許文献１】特願２００７−２１２５９３
【発明の開示】
【発明が解決しようとする課題】
【０００５】
この発明は、上記特許文献１によって提案された発電装置の一つの応用例としての照明装置を提供し、以て、上記した不都合を解消することを目的としている。
【課題を解決するための手段】
【０００６】
上記の目的を達成するため、請求項１に記載の発明は、作動油の粘性抵抗を利用して扉の閉扉時の衝撃を緩衝するドアクローザと、ドアクローザのシリンダを上下方向に貫通して上方又は下方に突出するピニオン軸の端部の内、リンク機構に連結されない一方の端部を包囲するようにしてドアクローザに装着された外ケースと、この外ケース内に収納され、ピニオン軸の一方の端部に同軸に装着された駆動歯車を含む増速機と、この増速機の最終段の歯車に同軸に結合されたローターを含む発電機と、増速機内に設けられた一方向クラッチと、発光素子とを備え、上記一方向クラッチの作動方向を、閉扉時クラッチを繋ぐようにすると共に、発電機から電力を供給された発光素子により扉口を照射するようにしたことを特徴とする。
【発明の効果】
【０００７】
上記のように構成された請求項１に記載の発明は、、従来は利用することなく捨てていたドアクローザ閉扉時における出力エネルギーを利用して、短時間のものではあるがコストが掛からない電力によって夜間入室時扉口を照明することができる、という優れた効果を奏する。
【０００８】
また、発電時ドアクローザからの出力を吸収するので、ドアクローザの緩衝機能を向上させ、或いはドアクローザの容量を減じることができる。
【０００９】
更にまた、例えば大量生産されている直流モータを発電機として利用できるので、構成が非常に簡単でしかも安価であり、しかも既存のドアクローザに後付けできる、等種々の効果を奏する。
【発明を実施するための最良の形態】
【００１０】
ドアクローザのピニオン軸に増速機と直流モータを接続する、という簡単な構成で、簡単な構成の扉口の照明装置を得ることができた。
【実施例１】
【００１１】
以下、この発明の一実施例を図面を参照して説明する。
図１において符号１は従来公知のダッシュポット式のドアクローザを、符号２は扉を夫々示し、通常、ドアクローザ１は扉２の内面の支持側端縁上部に装着され、リンク機構３及びブラケット４を介して、扉枠に連結されている。
【００１２】
そして、ドアクローザ１のシリンダを上下方向に貫通して上方又は下方に突出するピニオン軸の端部の内、リンク機構に連結されない下方の端部を包囲するように、舟形の外ケース５がドアクローザの下面に装着されている
【００１３】
この外ケース５内には、図２に示すように、ピニオン軸６の下端に同軸に装着された平歯車としての駆動歯車７を含む第１増速機８が設けられている。
【００１４】
この第１増速機８の最終段の歯車９の下端部にはフライホイール１１が、上端部には第１発電機１２の図示しないローターが夫々同軸かつ一体的に結合されている。
【００１５】
なお、図示の実施例における最終段の歯車９は、次に述べるように、一方向クラッチギアが回転軸に繋がると歯車になるのだが、繋がらない場合には一方向クラッチギアと切り離されるので歯車にはならない。
【００１６】
しかしながら、上記一方向クラッチの型式には種々のものがあり、また、一方向クラッチが挿設される箇所は最終段の歯車とは限らないのだから、図示の最終段の回転体を最終段歯車と称することにする。
【００１７】
一方、図２に示すように、最終段の歯車９のフライホイール１１の上部には、フライホイール１１と第１発電機１２の間に挟まれるようにして、クラッチギア１３が最終段の歯車９の軸部に相互に回動可能に嵌合している。
【００１８】
このクラッチギア１３の上面には、例えば図３に示すように、回転中心軸を通る紙面に垂直な上面、最終段の歯車９の軸部に接し、上記上面に平行な下面、及び同軸の一対の円筒によって切り取られた形状で有底のクラッチ穴１４が形成されており、このクラッチ穴１４中にクラッチボール１５が遊動可能に収納されている。
【００１９】
上記した構成により、図２においてクラッチギア１３が最終段の歯車９に対し相対的に時計方向に回動するときにはクラッチギア１３が滑り、反時計方向に回動するときには、クラッチボール１５がクラッチ穴１４と最終段の歯車９との間に噛み込まれ、クラッチが繋がる。
【００２０】
なお、図示の実施例では、ドアクローザが閉扉方向に作動するとき、上記した構成のクラッチが繋がるように駆動歯車７の回動方向が設定されている。
【００２１】
一方、上記外ケース５の室内側の外壁の開口、例えば図１において左側の壁面に電源スイッチがあるとして、その左側の壁面と斜交する外ケースの外壁に、図２及び図４に示すように、全体の形状が長円形で断面が蒲鉾形の光拡散板１６が嵌め込まれている。
【００２２】
そして、この光拡散板１６の内面側に例えば発光ダイオードのような発光素子１７が発光面を光拡散板１６に近接させ、或いは接合させるようにして装着されている。
【００２３】
なお、図示の実施例では光拡散板１６を長くし、透過する光束を絞らないでなるべく広い範囲を照射するようにしているが、この場合、光拡散板と比較して発光素子が小さくなる。
【００２４】
敷かしながら、外ケース５の外側から見た光拡散板１６の長さを発光素子１７と同程度に小さくしても差し支えない。
【００２５】
上記のように構成された本発明の一実施例による照明装置は、夜帰宅して扉を開け、閉扉をドアクローザに任せてそのまま入室すると、発光素子からの光によって扉口の壁面が照射され、電源スイッチが照明されるから、電源スイッチを捜してまごまごすることが無い。
【００２６】
同様にして、扉口に段差がある場合にとっさにそれを視認することができる。人間の目は、暗闇の中では僅かな光でもものを見ることができるからである。
【００２７】
なお、ドアクローザが扉内面に装着されている場合には、通常、照明光が扉口に垂直な方向に移動するが、照明光が拡散性の場合にはその移動による物の視認に悪影響は無い。
【実施例２】
【００２８】
図示の実施例では、発光素子をドアクローザと一体の外ケース５内に収納するものとしたので、閉扉時照射光が移動する。
【００２９】
この場合、前記したように視認に悪影響は無いが、例えば電源スイッチの近傍に発光素子を装着し（図示せず）、この発送素子と発電機とを電線で接続すれば、閉扉時移動しない照射光により電源スイッチ及び扉口における段差等を確実に顕示できる。
【００３０】
なお、この実施例２における発光素子の装着は、従来の光源の装着手段の全てを利用することができる。
【００３１】
この実施例２において、この発明による照明装置を新設するときには、電線を扉口の壁面に埋設できるので見栄えを損うことが無い。
【００３２】
そして、この実施例２による照明装置の構成は、請求項２に記載されている。
【実施例３】
【００３３】
更にまた、増速機の増速比が例えば１、換言すればクローザのピニオン６を一方向クラッチを介して発電機に直結した場合には、入力トルクは大きいが大容量の発電機を採用することができる。
【００３４】
この場合、ドアクローザの閉扉力はかなり大きいので、例えば自転車の発電機程度の出力を得ることができ、照明装置の光量をかなり大きくすることができる。
【００３５】
また、短時間の内に大容量の電力を発生することができ、発電に起因する閉扉時間の延長、或いはクローザの作動遅れを改善できる。
【００３６】
そこで、特許請求の範囲の記載及び発明の詳細な説明における増速機の概念に増速比が１のものも含めるものとする。
【図面の簡単な説明】
【００３７】
【図１】この発明の一実施例による発電クローザを室内側から見た正面図。
【図２】その要部の縦断麺図。
【図３】クラッチ機構の線図的断面図。
【図４】発電クローザの要部の線図的下面図。
【符号の説明】
【００３８】
１  ドアクローザ
２  扉
３  リンク機構
４  ブラケット
５  外ケース
６  ピニオン
７  駆動歯車
８  第１増速機
９  最終団の歯車
１１  フライホイール
１２  第１発電機
１３  クラッチギア
１４  クラッチ穴
１５  クラッチボール
１６  光拡散板
１７  発光素子
【図１】
2009054402.tif 000003
【図２】
2009054402.tif 000004
【図３】
2009054402.tif 000005
【図４】
2009054402.tif 000006